(57)【要約】【課題】電源を必要とせず、コンパクトで携帯可能な肌ケア装置を提供することを目的とする。【解決手段】本発明の肌ケア装置は、肌表面にスチームを当てて肌をケアするための携帯型の肌ケア装置であって、スチームが通過する開口部２２２ｃを有する容器２と、容器２内に収容されるスチーム発生装置３とを備え、スチーム発生装置３が、水が封入された水袋３１と、水と反応して発熱する発熱剤が封入された発熱剤袋３２と、水袋３１および発熱剤袋３２を開裂するための開裂用長尺部材３３とを備え、開裂用長尺部材３３が、容器２の外部から引かれたときに水袋３１および発熱剤袋３２を開裂するように、容器２の内部から外部に延びて配索されていることを特徴とする。【選択図】図３
2018064884.tif 000002
【特許請求の範囲】
【請求項１】
肌表面にスチームを当てて肌をケアするための携帯型の肌ケア装置であって、
前記スチームが通過する開口部を有する容器と、
前記容器内に収容されるスチーム発生装置とを備え、
前記スチーム発生装置が、
水が封入された水袋と、
前記水と反応して発熱する発熱剤が封入された発熱剤袋と、
前記水袋および前記発熱剤袋を開裂するための開裂用長尺部材とを備え、
前記開裂用長尺部材が、前記容器の外部から引かれたときに前記水袋および前記発熱剤袋を開裂するように、前記容器の内部から外部に延びて配索されている肌ケア装置。
【請求項２】
前記水袋が、前記発熱剤袋の鉛直方向上側に配置され、
前記開裂用長尺部材が、前記容器の外部から引かれたときに、前記発熱剤袋の開裂を開始し、前記発熱剤袋の開裂が終了したあとに前記水袋の開裂を開始するように、前記容器の内部から外部に延びて配索されている請求項１記載の肌ケア装置。
【請求項３】
前記スチーム発生装置が、水およびスチームが通過可能な切欠き部を有する支持台をさらに備え、
鉛直方向下側から前記発熱剤袋、前記支持台および前記水袋が順に積層された積層体が形成され、
前記開裂用長尺部材が、前記支持台の前記切欠き部に隣接した領域で前記水袋および前記発熱剤袋を開裂するように、前記支持台の前記切欠き部に隣接して配索され、
前記容器の底面が、前記切欠き部側に向かって水が流れるように傾斜している請求項１または２記載の肌ケア装置。
【請求項４】
前記水袋に封入される水に、保湿効果を有する香料が添加されている請求項１〜３のいずれか１項に記載の肌ケア装置。
【発明の詳細な説明】
【技術分野】
【０００１】
本発明は、携帯型の肌ケア装置に関し、より詳細には、肌にスチームを当てて肌をケアするための携帯型の肌ケア装置に関する。
【背景技術】
【０００２】
顔などの肌に保湿効果などをもたらして肌をケアするための装置として、たとえば特許文献１に開示された肌ケア装置が知られている。この肌ケア装置は、水を貯水できるボイラーと、ボイラー内の水を加熱気化させるヒータと、ヒータの加熱気化により生じたスチームを放出するためのスチームノズルとを備えている。この肌ケア装置では、スチームノズルから噴出されたスチームを肌に当てることで、肌の潤いを保つ保湿効果などをもたらす。
【先行技術文献】
【特許文献】
【０００３】
【特許文献１】特開２００４−０２４８９７号公報
【発明の概要】
【発明が解決しようとする課題】
【０００４】
ところが、特許文献１の肌ケア装置は、スチームを発生させるためのヒータを備えており、装置が大型となるだけでなく、ヒータを稼働させるための電源を必要としている。したがって、このような肌ケア装置は、携帯して持ち歩くことができず、仕事中や外出先において不意に肌が乾燥するような場合に適用することができない。また、使用後は残留水を廃棄しなければ腐敗することもあるため、装置の維持管理に手間がかかる。
【０００５】
本発明は、上記問題に鑑みなされたもので、電源を必要とせず、コンパクトで携帯可能な使い捨ての肌ケア装置を提供することを目的とする。
【課題を解決するための手段】
【０００６】
本発明の肌ケア装置は、肌表面にスチームを当てて肌をケアするための携帯型の肌ケア装置であって、前記スチームが通過する開口部を有する容器と、前記容器内に収容されるスチーム発生装置とを備え、前記スチーム発生装置が、水が封入された水袋と、前記水と反応して発熱する発熱剤が封入された発熱剤袋と、前記水袋および前記発熱剤袋を開裂するための開裂用長尺部材とを備え、前記開裂用長尺部材が、前記容器の外部から引かれたときに前記水袋および前記発熱剤袋を開裂するように、前記容器の内部から外部に延びて配索されていることを特徴とする。
【０００７】
また、前記水袋が、前記発熱剤袋の鉛直方向上側に配置され、前記開裂用長尺部材が、前記容器の外部から引かれたときに、前記発熱剤袋の開裂を開始し、前記発熱剤袋の開裂が終了したあとに前記水袋の開裂を開始するように、前記容器の内部から外部に延びて配索されていることが好ましい。
【０００８】
また、前記スチーム発生装置が、水およびスチームが通過可能な切欠き部を有する支持台をさらに備え、鉛直方向下側から前記発熱剤袋、前記支持台および前記水袋が順に積層された積層体が形成され、前記開裂用長尺部材が、前記支持台の前記切欠き部に隣接した領域で前記水袋および前記発熱剤袋を開裂するように、前記支持台の前記切欠き部に隣接して配索され、前記容器の底面が、前記切欠き部側に向かって水が流れるように傾斜していることが好ましい。
【０００９】
また、前記水袋に封入される水に、保湿効果を有する香料が添加されていることが好ましい。
【発明の効果】
【００１０】
本発明によれば、電源を必要とせず、コンパクトで携帯可能な使い捨ての肌ケア装置を提供することができる。
【図面の簡単な説明】
【００１１】
【図１】本発明の一実施形態に係る肌ケア装置の外観斜視図である。
【図２】図１の肌ケア装置の分解斜視図である。
【図３】図２の肌ケア装置の外側容器および断熱材を除いた分解斜視図である。
【図４】図２の肌ケア装置の容器の容器本体の上面図である。
【図５】図４の容器本体のＡ−Ａ線断面図である。
【図６】図５の容器本体のＢ−Ｂ線断面図である。
【図７】図２の肌ケア装置の外側容器および断熱材を除いた断面図であり、（ａ）は、図５の断面位置に対応する位置の概略断面図であり、（ｂ）は、図６の断面位置に対応する位置の概略断面図である。
【図８】図７の状態から、開裂用長尺部材を容器の外部に引っ張ることで、発熱剤袋の一部が開裂された状態に変化したことを示す図であり、（ａ）は、図７（ａ）の状態から変化した状態を示す概略断面図であり、（ｂ）は、図７（ｂ）の状態から変化した状態を示す概略断面図である。
【図９】図８の状態から、開裂用長尺部材を容器の外部に引っ張ることで、発熱剤袋の全部が開裂された状態に変化したことを示す図であり、（ａ）は、図８（ａ）の状態から変化した状態を示す概略断面図であり、（ｂ）は、図８（ｂ）の状態から変化した状態を示す概略断面図である。
【図１０】図９の状態から、開裂用長尺部材を容器の外部に引っ張ることで、水袋の一部が開裂された状態に変化したことを示す図であり、（ａ）は、図９（ａ）の状態から変化した状態を示す概略断面図であり、（ｂ）は、図９（ｂ）の状態から変化した状態を示す概略断面図である。
【図１１】図１０の状態から、開裂用長尺部材を容器の外部に引っ張ることで、発熱剤袋および水袋の開裂が完了した状態に変化したことを示す図であり、（ａ）は、図１０（ａ）の状態から変化した状態を示す概略断面図であり、（ｂ）は、図１０（ｂ）の状態から変化した状態を示す概略断面図である。
【図１２】図１の肌ケア装置を用いて顔の肌にスチームを当てたときの肌の角質水分量の測定結果を示す図である。
【発明を実施するための形態】
【００１２】
以下、図面を参照して、本発明の一実施形態に係る携帯型の肌ケア装置（以下、単に「肌ケア装置」という）を説明する。ただし、以下に示す実施形態は、あくまで一例であり、本発明の携帯型の肌ケア装置は、以下の実施形態に限定されるものではない。なお、以下の説明の中で、「上方」、「下方」、「前方」、「後方」などの方向を示す用語を用いるときは、それぞれ、「鉛直方向上方」、「鉛直方向下方」、「開裂用長尺部材が引っ張られる方向」、「開裂用長尺部材が引っ張られる方向とは反対の方向」を意味する。
【００１３】
＜肌ケア装置＞
本実施形態の肌ケア装置１は、顔などの肌表面にスチーム（水蒸気）を当てて肌をケアするための携帯型の肌ケア装置である。肌ケア装置１は、図３に示されるように、スチームが通過する開口部２２２ｃを有する容器２と、容器２内に収容されるスチーム発生装置３とを備えている。肌ケア装置１によれば、スチーム発生装置３により発生し、容器２の開口部２２２ｃから放出されるスチームを肌表面に当てることにより、肌に水分を与えて肌の潤いを保つ保湿効果だけでなく、毛穴に入り込んだ化粧品成分などの汚れを洗い落とすクレンジング効果、肌を暖めて血行を促進する血行促進効果などを肌に与えて、肌のケア（手入れ）をすることができる。肌ケア装置１は、以下に詳しく述べるように、安価な部材により構成されているために、使い捨てとして使用可能である。本実施形態の肌ケア装置１は、上述した効果が発揮されて、ケアすることが可能な肌であれば、顔だけでなく、腕や脚などいかなる部位の肌にも適用可能である。
【００１４】
肌ケア装置１は、本実施形態では、図１および図２に示されるように、容器２の外側に設けられた断熱材Ｉと、容器２および断熱材Ｉを収容する外側容器Ｃとを備えている。
【００１５】
断熱材Ｉは、容器２と外側容器Ｃとの間の熱の伝達を抑制する。断熱材Ｉは、本実施形態では、図２に示されるように、容器２の上側外面および外側容器Ｃの上側内面に接触するように設けられた上側断熱材Ｉ１と、容器２の下側外面および外側容器Ｃの下側内面に接触するように設けられた下側断熱材Ｉ２とを備えている。上側断熱材Ｉ１および下側断熱材Ｉ２は、略板状に形成され、発泡スチロールや発泡ウレタンなどの公知の断熱性材料により形成される。容器２の外側に断熱材Ｉが設けられることで、容器２が高温になったとしても、外側容器Ｃに熱が伝わるのを抑制でき、外側容器Ｃの温度上昇を抑制することができる。断熱材Ｉは、容器２と外側容器Ｃとの間の熱の伝達を抑制できれば、上述した例に限定されることはなく、たとえば容器２の全体を覆うような構成であってもよい。
【００１６】
外側容器Ｃは、内部に容器２および断熱材Ｉを収容し、容器２から放出されたスチームを外部に放出する。外側容器Ｃは、図１および図２に示されるように、容器２および断熱材Ｉを挿入可能な大きさに形成された開口Ｃ１１を有する外側容器本体部Ｃ１と、開口Ｃ１１を開閉可能な外側容器蓋部Ｃ２とを備えている。外側容器Ｃは、外側容器本体部Ｃ１および外側容器蓋部Ｃ２が一体として形成され、全体として略直方体形状に形成されている。外側容器蓋部Ｃ２は、容器２の開口部２２２ｃと位置合わせされ、スチームが通過する開口部Ｃ２１１が設けられた第１蓋部Ｃ２１と、後述する開裂用長尺部材３３が挿通される挿通孔Ｃ２２１が設けられた第２蓋部Ｃ２２とを備えている。第１蓋部Ｃ２１は、斜め上方向に面するように傾斜して形成されており、それにより、第１蓋部Ｃ２１の開口部Ｃ２１１は、斜め上方向を向いている。したがって、スチームは、斜め上方向に向かって放出されやすく、たとえば顔などの肌に当てやすい。また、第２蓋部Ｃ２２は、外側容器本体部Ｃ１の底面に対して略垂直に立設されており、第２蓋部Ｃ２２の挿通孔Ｃ２２１は、外側容器本体部Ｃ１の底面に対して略平行な方向に向いている。したがって、開裂用長尺部材３３を引き出すときに、外側容器本体部Ｃ１の底面に沿った方向に引き出すことができるので、引き出す方向がずれにくく、より正確に引き出すことができる。外側容器Ｃは、内部に容器２および断熱材Ｉを収容し、容器２から放出されたスチームを外部に放出することができれば、上述した例に限定されることはなく、他の形状に形成されてもよい。また、外側容器Ｃは、本実施形態では厚紙により形成されているが、その材質も特に限定されることはなく、樹脂等により形成されてもよい。
【００１７】
肌ケア装置１は、本実施形態では、上述したように、容器２の外側に設けられた断熱材Ｉと、容器２および断熱材Ｉを収容する外側容器Ｃとを備える構成となっている。しかし、肌ケア装置１は、断熱材Ｉおよび外側容器Ｃが設けられることなく用いることもできる。
【００１８】
＜容器＞
容器２は、スチーム発生装置３を収容し、スチーム発生装置３により発生したスチームを開口部２２２ｃから外部に放出する。容器２は、本実施形態では、図３に示されるように、スチーム発生装置３を挿入可能な開口２１１を有する容器本体２１と、容器本体２１の開口２１１を開閉可能な蓋体２２とを備えている。
【００１９】
容器本体２１は、図３に示されるように、底部２１２と、底部２１２の縁部に立設された壁部２１３と、壁部２１３に囲繞された開口２１１とを有し、トレー状に形成されている。より具体的には、図４〜図６に示されるように、壁部２１３が、前後方向Ｆ、Ｒに対して略垂直な方向に延び、互いに対向する第１壁部２１３ａおよび第２壁部２１３ｂと、前後方向Ｆ、Ｒに延び、互いに対向する第３壁部２１３ｃおよび第４壁部２１３ｄとを備え、４つの壁部２１３ａ、２１３ｂ、２１３ｃ、２１３ｄに囲繞される開口２１１および底部２１２がともに略矩形状に形成されて、容器本体２１は、全体として略直方体形状に形成されている。
【００２０】
容器本体２１の底部２１２は、図４〜図６に示されるように、容器本体２１が水平面Ｐに対して平行な面の上に載置されたときに、水平面Ｐに対して略平行となる２つの載置台２１２ａ、２１２ａと、水平面Ｐに対して傾斜している底面２１２ｂとを備えている。載置台２１２ａ、２１２ａには、後述する支持台３４が略水平になるように固定される。載置台２１２ａ、２１２ａは、第１壁部２１３ａおよび第２壁部２１３ｂに沿って（前後方向Ｆ、Ｒに対して略垂直な方向に沿って）延び、底面２１２ｂの前後方向Ｆ、Ｒの両側に設けられる。載置台２１２ａ、２１２ａは、支持台３４が２つの載置台２１２ａ、２１２ａに架け渡されるように固定できれば、その間隔、それぞれの大きさおよび高さは特に限定されることはないが、支持台３４の下面に固定される発熱剤袋３２（特に、発熱剤袋３２内の発熱剤３２２）が２つの載置台２１２ａ、２１２ａの間に挿入可能なように形成されることが好ましい。また、底面２１２ｂは、２つの載置台２１２ａ、２１２ａの間に設けられ、前後方向Ｆ、Ｒに対して略垂直な方向に沿って、第３壁部２１３ｃおよび第４壁部２１３ｄの一方から他方まで延びている。底面２１２ｂは、第３壁部２１３ｃおよび第４壁部２１３ｄの一方（本実施形態では第４壁部２１３ｄ）側が、第３壁部２１３ｃおよび第４壁部２１３ｄの他方（本実施形態では第３壁部２１３ｃ）側の鉛直方向下側になるように傾斜している。後に詳述するように、水袋３１から溢れ出た水は、底面２１２ｂの傾斜に沿って流れ、第４壁部２１３ｄ側に多く溜まる。さらに本実施形態では、底面２１２ｂの第４壁部２１３ｄ側には、水平面Ｐに対して略平行な水平面部Ｓが形成されており、底面２１２ｂは、より多くの水が第４壁部２１３ｄ側に溜まるように構成されている。水平面部Ｓは、本実施形態では、支持台３４の切欠き部３４ｄとほぼ同程度の大きさに形成され、切欠き部３４ｄに対応する位置（切欠き部３４ｄの下側）に配置されている。したがって、底面２１２ｂは、切欠き部３４ｄを通して落下した水が、そのまま水平面部Ｓ周辺に溜まりやすい構成となっている。
【００２１】
容器本体２１の壁部２１３（本実施形態では、前方側の第１壁部２１３ａ）は、図３および図４に示されるように、その上縁に、切り込み２１３ｅを備えている。切り込み２１３ｅは、蓋体２２で容器本体２１の開口２１１を閉じた状態で挿通孔を形成し、形成された挿通孔は、後述する開裂用長尺部材３３が挿通可能な大きさに形成される。ただし、容器２には、開裂用長尺部材３３が挿通可能な挿通孔が設けられてさえいればよく、その設置位置や形状、大きさは特に限定されることはなく、たとえば壁部２１３の中央部分に挿通孔が設けられていてもよい。
【００２２】
蓋体２２は、図３、図７（ａ）および図７（ｂ）に示されるように、外周に沿って設けられたフランジ部２２１と、フランジ部２２１の内周側に設けられ、容器２内に内部空間２２２ａを形成する隆起部２２２とを備えている。フランジ部２２１の下側には、容器本体２１の壁部２１３（図６を参照）の上縁と嵌合する溝部２２１ａが設けられている。蓋体２２は、フランジ部２２１の溝部２２１ａと、容器本体２１の壁部２１３の上縁とが嵌合することにより、容器本体２１の開口２１１を閉鎖する。隆起部２２２は、全体として略直方体形状に形成され、隆起部２２２の前方側の側面２２２ｂにスチームが通過する開口部２２２ｃが設けられている。開口部２２２ｃが設けられた隆起部２２２の側面２２２ｂは、斜め上方向に面するように形成され、それにより、開口部２２２ｃが斜め上方向を向いて形成されている。したがって、スチーム発生装置３により発生したスチームは、斜め上方向に向かって放出されやすくなるので、たとえばスチームを顔の肌に当てる場合には、顔に当てやすくなる。また、隆起部２２２の内側に内部空間２２２ａが形成されることにより、スチーム発生装置３により発生したスチームが内部空間２２２ａに溜まりやすくなって、開口部２２２ｃを通じて一気に放出される。また、内部空間２２２ａは、後述する発熱剤が水と反応して膨張した際に、スチーム発生装置３の蓋体２２側への移動を許容し、蓋体２２が容器本体２１から外れるのを抑制する。なお、開口部２２２ｃは、本実施形態では貫通孔として形成されているが、スチームが通過できるように構成されていればよく、たとえば水蒸気透過性フィルムが設けられた貫通孔であってもよい。
【００２３】
なお、容器２は、スチーム発生装置３を収容し、スチーム発生装置３により発生したスチームを開口部２２２ｃから外部に放出することができればよく、その構成は上述した例に限定されることはない。たとえば、容器２は、本実施形態では容器本体２１と蓋体２２とが別体として形成されるが、両者が一体として形成されてもよい。また、開口部２２２ｃが設けられる位置も、上述した例に限定されることはなく、別の場所であってもよい。また、容器２は、本実施形態ではフィラー入りポリプロピレン（ＰＰＦ）により形成されるが、スチーム発生装置３を収容可能な剛性を有し、後述する水と発熱剤との反応によって生じる熱により変形しない耐熱性を有していれば、その材料は特に限定されることはなく、フィラーを含有しないポリプロピレン（ＰＰ）、ポリ塩化ビニル（ＰＶＣ）などの他のプラスチックや、金属、木、厚紙などであってもよい。
【００２４】
＜スチーム発生装置＞
スチーム発生装置３は、図３に示されるように、水が封入された水袋３１と、水と反応して発熱する発熱剤が封入された発熱剤袋３２と、水袋３１および発熱剤袋３２を開裂するための開裂用長尺部材３３とを備えている。スチーム発生装置３は、開裂用長尺部材３３により水袋３１および発熱剤袋３２が開裂されることにより、水袋３１から溢れ出た水と発熱剤袋３２内の発熱剤とが反応して発熱し、生じた熱により水が蒸発してスチームを発生させる。
【００２５】
スチーム発生装置３は、本実施形態では、図３に示されるように、水袋３１が、発熱剤袋３２の鉛直方向上側に配置されている。より具体的には、スチーム発生装置３は、支持台３４をさらに備え、鉛直方向下側から発熱剤袋３２、支持台３４および水袋３１が順に積層された積層体Ｌが形成されている。
【００２６】
＜水袋＞
水袋３１は、水を内部に封入し、開裂用長尺部材３３の引き操作により開裂されて、水が外部に放出されるように構成されている。水袋３１は、本実施形態では、図７（ａ）および図７（ｂ）に示されるように、水袋用袋体３１１に水３１２が封入されて形成される。水袋３１は、水袋用袋体３１１の下面の少なくとも一部が支持台３４の上面に直接または間接的に接触して、支持台３４の上面に固定される。水袋３１は、開裂用長尺部材３３の引き操作により力を受けたときに、支持台３４に対する移動や変形が抑制されるように固定することができれば、その固定方法は特に限定されることはなく、両面テープや接着剤などの公知の固定手段により支持台３４の上面に固定される。
【００２７】
水袋３１は、図３、図７（ａ）および図７（ｂ）に示されるように、水袋用袋体３１１の後方側の端部３１１ａに、水袋用袋体３１１の開裂を補助するための切り込み３１１ｃが設けられる。開裂用長尺部材３３は、後述するように、この切り込み３１１ｃに係止された状態で仮止めされるが、この状態で引っ張られることにより、切り込み３１１ｃが起点となって水袋用袋体３１１を容易に開裂することができる。水袋３１をより確実に開裂するためには、開裂用長尺部材３３が引き操作されたときに切り込み３１１ｃの位置が変動しないように、切り込み３１１ｃ周辺の端部３１１ａが支持台３４の上面に固定されていることが好ましい。
【００２８】
水袋３１の水袋用袋体３１１は、密封されている際には、水が外部に蒸散するのを防止する非透湿性を有し、開裂される際には、使用者が開裂用長尺部材３３を手で引っ張ることにより容易に開裂されるように形成されれば、特に限定されることはなく、たとえば、ポリエチレン樹脂フィルム、ポリプロピレン樹脂フィルム、ポリスチレン樹脂フィルム、ポリアミド樹脂フィルム、ポリエステル樹脂フィルム、金属箔フィルム、金属箔フィルムを含むラミネートフィルムなどを用いて形成することができる。
【００２９】
水袋３１に封入される水としては、特に限定されることはなく、たとえば蒸留水、イオン交換水、濾過水、水道水、その他、市販の純水生成機等で得られる超純水等の精製水等を用いることができる。ただし、水袋３１に封入される水に、保湿効果を有する香料が添加されていることが好ましい。香料としては、たとえば植物性精油または芳香蒸留水の形で添加することができる。水袋３１に封入される水に保湿効果を有する植物性精油または芳香蒸留水を添加することにより、スチーム発生装置３により発生するスチームに保湿効果を有する香料が混入されることとなり、肌ケア装置１の保湿効果をより一層高めることができる。植物性精油または芳香蒸留水としては、保湿効果を有していればよく、特に限定されることはないが、由来植物として、たとえばラベンダー、カモミール・ローマン、キャロットシード、サンダルウッド、パルマローザ、フランキンセンス、ゼラニウム、ネロリ、シダーウッド、マンダリン、ジャスミン、ローズ、ローズウッドなどの由来植物のいずれか一種または二種以上を用いることができる。その中でも、皮膚からの水分の蒸散を防いで潤いを守って皮膚を柔軟にする作用（エモリエント作用）の大きいラベンダーが好適に用いられる。
【００３０】
＜発熱剤袋＞
発熱剤袋３２は、発熱剤を内部に封入し、開裂用長尺部材３３の引き操作により開裂されて、発熱剤が外部環境に解放されるように構成されている。発熱剤袋３２は、本実施形態では、図７（ａ）および図７（ｂ）に示されるように、発熱剤袋用袋体３２１に発熱剤３２２が封入されて形成される。発熱剤袋３２は、発熱剤袋用袋体３２１の上面の少なくとも一部が支持台３４の下面に直接または間接的に接触して、支持台３４の下面に固定される。発熱剤袋３２は、開裂用長尺部材３３の引き操作により力を受けたときに、支持台３４に対する移動や変形が抑制されるように固定することができれば、その固定方法は特に限定されることはなく、両面テープや接着剤などの公知の固定手段により支持台３４の下面に固定される。
【００３１】
発熱剤袋３２は、図３、図７（ａ）および図７（ｂ）に示されるように、発熱剤袋用袋体３２１の一方の端部３２１ａに、発熱剤袋用袋体３２１の開裂を補助するための切り込み３２１ｂが設けられる。開裂用長尺部材３３は、後述するように、この切り込み３２１ｂに係止された状態で仮止めされるが、この状態で引っ張られることにより、切り込み３２１ｂが起点となって発熱剤袋用袋体３２１を容易に開裂することができる。発熱剤袋３２をより確実に開裂するためには、開裂用長尺部材３３が引き操作されたときに切り込み３２１ｂの位置が変動しないように、切り込み３２１ｂ周辺の端部３２１ａが支持台３４の下面に固定されていることが好ましい。
【００３２】
発熱剤袋３２の発熱剤袋用袋体３２１は、密封されている際には、外部から水が浸入するのを防止する非透湿性を有し、開裂される際には、使用者が開裂用長尺部材３３を手で引っ張ることにより容易に開裂されるように形成されれば、特に限定されることはなく、ポリエチレン樹脂フィルム、ポリプロピレン樹脂フィルム、ポリスチレン樹脂フィルム、ポリアミド樹脂フィルム、ポリエステル樹脂フィルム、金属箔フィルム、金属箔フィルムを含むラミネートフィルムなどを用いて形成することができる。特に、肌ケア装置１は、製造後数ヶ月から数年の間、未使用のまま保管されることも想定されるので、発熱剤袋用袋体３２１は、より非透湿性の高い、たとえば透湿度が０．０１〜１．５、特に０．０１〜０．５０ｇ／（ｍ2・２４時間）の範囲にあるフィルムを用いて形成されることが好ましく、たとえば金属箔フィルムまたは金属箔フィルムを含むラミネートフィルムを用いて形成されることが好ましい。
【００３３】
発熱剤袋３２に封入される発熱剤３２２は、水と反応して発熱する物質であれば特に限定されることはなく、たとえば公知の発熱剤である生石灰粉末や、生石灰粉末とアルミニウム粉末との混合物などを用いることができる。発熱剤３２２は、そのまま発熱剤袋用袋体３２１に封入されてもよいし、不織布または和紙などの透水性の袋体に収容された状態で発熱剤袋用袋体３２１に封入されてもよい。前者の場合は、水袋３１から溢れ出た水と発熱剤３２２が直接接触して反応するので、反応がより効率的に行なわれる。後者の場合は、発熱剤３２２の取り扱いが容易となり、発熱剤袋用袋体３２１に発熱剤３２２を容易に封入することができるだけでなく、発熱剤袋３２が開裂されたときに、発熱剤３２２が外部に飛散するのを抑制することができる。
【００３４】
＜支持台＞
支持台３４は、開裂用長尺部材３３が引き操作されて水袋３１および発熱剤袋３２が開裂される際にその移動を抑制するために、水袋３１および発熱剤袋３２を支持する部材である。支持台３４は、本実施形態では、図３に示されるように、上面に水袋３１が固定され、下面に発熱剤袋３２が固定されて、容器２内に固定される。より具体的には、支持台３４は、図７（ａ）および図７（ｂ）に示されるように、略水平に設けられた載置台２１２ａ、２１２ａに直接、または発熱剤袋３２を介して間接的に固定される。したがって、発熱剤袋３２、支持台３４および水袋３１が積層されて形成された積層体Ｌは、支持台３４に沿って略水平になるように配置される。支持台３４および積層体Ｌが略水平に配置されることにより、支持台３４に固定された水袋３１および発熱剤袋３２もまた略水平に配置される。したがって、水袋３１および発熱剤袋３２が開裂された際に、傾斜の影響を受けることなく、水袋３１から水が自然と溢れ出し、発熱剤袋３２の中に水が自然と侵入する。支持台３４は、開裂用長尺部材３３の引き操作により水袋３１および発熱剤袋３２が力を受けたときに、容器２に対する移動が抑制されるように固定することができれば、その固定方法は特に限定されることはなく、両面テープや接着剤などの公知の固定手段により載置台２１２ａ、２１２ａに固定される。
【００３５】
支持台３４は、本実施形態では、図３に示されるように、水およびスチームが通過可能な切欠き部３４ｄを有している。切欠き部３４ｄは、水袋３１が開裂されて溢れ出た水を、支持台３４により遮ることなく、下方の空間に通過させる。また、切欠き部３４ｄは、発熱剤袋３２周辺で生じたスチームを、支持台３４により遮ることなく、上方の空間に通過させる。切欠き部３４ｄは、本実施形態では、支持台３４の一方の端部３４ａに設けられている。ただし、切欠き部３４ｄは、水およびスチームを通過させることができればよく、設けられる位置は特に限定されることはなく、たとえば他方の端部３４ｂに設けられてもよい。また、切欠き部３４ｄは、容器２の２つの載置台２１２ａ、２１２ａの間隔と同程度かそれよりも小さい長さに形成されている。ただし、切欠き部３４ｄは、水およびスチームを通過させることができる一方で、開裂用長尺部材３３の引き操作により支持台３４が変形しない程度の強度を維持できる範囲の大きさであればよく、その大きさは特に限定されることはない。
【００３６】
支持台３４はさらに、図３に示されるように、支持台３４の前方側の端部３４ｃに、開裂用長尺部材３３の一方の端部３３ａが係合される係合部３４ｅが設けられている。係合部３４ｅは、本実施形態では前後方向Ｆ、Ｒに延びる２つのスリットとして形成され、開裂用長尺部材３３の一方の端部３３ａは、２つのスリットの両方に係合されて、２つのスリットの間に巻き付けられて固定される。これにより、開裂用長尺部材３３は、水袋３１および発熱剤袋３２の開裂の際には係合が解除されることがなく、すべての開裂作業が終わった後にさらに引き操作されることで係合が解除される。したがって、使用者は、開裂用長尺部材３３を引き操作するときに、水袋３１および発熱剤袋３２の開裂作業が完全に完了したことを知ることができ、水袋３１および発熱剤袋３２の開裂を途中で終えることなく、水袋３１および発熱剤袋３２をより確実に開裂することができる。
【００３７】
なお、支持台３４は、本実施形態では、図３に示されるように、略矩形板状に形成されているが、容器２内に収容可能であれば、その形状は特に限定されることはなく、略楕円形板状など他の形状であってもよい。ただし、支持台３４は、上述した容器２内に互いに離間して配置された２つの載置台２１２ａ、２１２ａ（図４〜図６を参照）に架け渡される大きさであることが好ましい。また、支持台３４は、水袋３１および発熱剤袋３２を支持可能な強度を有し、開裂用長尺部材３３の引き操作により変形しない程度の強度を有していれば、その材料は限定されることはなく、たとえば厚紙、段ボール、ポリエチレン樹脂などの樹脂材料を用いることができる。
【００３８】
＜開裂用長尺部材＞
開裂用長尺部材３３は、図３、図７（ａ）および図７（ｂ）に示されるように、容器２の外部から引かれたときに水袋３１および発熱剤袋３２を開裂するように、容器２の内部から外部に延びて配索されている。したがって、肌ケア装置１の容器２の外部から開裂用長尺部材３３を引き操作することにより、水袋３１および発熱剤袋３２が開裂されて、水袋３１に封入されていた水が水袋３１の外部に溢れ出す。そして、溢れ出た水は、開裂された発熱剤袋３２内の発熱剤３２２と接触して反応し、発熱した発熱剤３２２の熱により蒸発してスチームとなる。生成したスチームは、容器２の開口部２２２ｃを通じて容器２の外部に放出され、放出されたスチームを顔などの肌表面に当てることで、肌のケア（手入れ）をすることができる。肌ケア装置１は、上述したように、単純な構成でスチームを発生させることができるので、装置全体をコンパクトにすることができるだけでなく、電源を必要とすることなく携帯型として用いることが可能である。
【００３９】
開裂用長尺部材３３は、本実施形態では、図３、図７（ａ）および図７（ｂ）に示されるように、容器２の外部から引かれたときに、発熱剤袋３２の開裂を開始し、発熱剤袋３２の開裂が終了したあとに水袋３１の開裂を開始するように、容器２の内部から外部に延びて配索されている。より具体的に説明すると、開裂用長尺部材３３の一方の端部３３ａは、支持台３４の前方側の端部３４ｃの係合部３４ｅ（２つのスリットの両方）に係合される。開裂用長尺部材３３は、支持台３４の前方側の端部３４ｃから水袋３１と支持台３４との間を通って前後方向Ｆ、Ｒに沿って水袋３１の後方側の端部３１１ａまで延び、水袋３１の後方側の端部３１１ａの切り込み３１１ｃに係合されて、上方に折り返される。開裂用長尺部材３３は、水袋３１の後方側の端部３１１ａから水袋３１の上を通って前後方向Ｆ、Ｒに沿って水袋３１の前方側の端部３１１ｂおよび支持台３４の前方側の端部３４ｃまで延び、支持台３４の前方側の端部３４ｃの係合部３４ｅ（２つのスリットのうち一方）に係合されて、下方に折り返される。開裂用長尺部材３３は、支持台３４の前方側の端部３４ｃから支持台３４と発熱剤袋３２との間を通って前後方向Ｆ、Ｒに沿って発熱剤袋３２の後方側の端部３２１ａまで延び、発熱剤袋３２の後方側の端部３２１ａの切り込み３２１ｂに係合されて、下方に折り返される。開裂用長尺部材３３は、発熱剤袋３２の後方側の端部３２１ａから発熱剤袋３２の下を通って、前後方向Ｆ、Ｒに沿って延びて、容器２の前方側の切り込み２１３ｅを経由して、容器２の外部まで延びる。開裂用長尺部材３３がこのように配索されることにより、開裂用長尺部材３３の他方の端部３３ｂが容器２の外部から前方Ｆに引かれたときに、発熱剤袋３２の開裂を開始し、発熱剤袋３２の開裂が終了した後に水袋３１の開裂が開始されるので、発熱剤３２２が完全に開放された状態で水を供給することができ、より確実にスチームを発生させることができる。長期間の保管に耐えられるように、より非透湿性の高い単独の袋体に発熱剤を封入した場合であっても、発熱剤袋の開裂を先に完了することで、より確実にスチームを発生させることができる。容器２の外部から引かれたときに、発熱剤袋３２の開裂を開始し、発熱剤袋３２の開裂が終了したあとに水袋３１の開裂を開始するような開裂用長尺部材３３の配索としては、上述した例以外にも、たとえば水袋３１および発熱剤袋３２それぞれに対する開裂用長尺部材３３の巻付けを上下反転させてもよい。
【００４０】
また、開裂用長尺部材３３は、図３、図７（ａ）および図７（ｂ）に示されるように、支持台３４の切欠き部３４ｄに隣接した領域で水袋３１および発熱剤袋３２を開裂するように、支持台３４の切欠き部３４ｄに隣接して配索されている。したがって、開裂用長尺部材３３が引き操作されると、支持台３４の切欠き部３４ｄの近傍で水袋３１および発熱剤袋３２が開裂されるので、水袋３１から溢れ出た水が切欠き部３４ｄを通して支持台３４の下方に落下しやすいとともに、発熱剤袋３２周辺で発生したスチームが切欠き部３４ｄを通して支持台３４の上方に上昇しやすい。また、本実施形態では、図７（ａ）に示されるように、容器２の底面２１２ｂが、切欠き部３４ｄ側に向かって水が流れるように傾斜している。より具体的には、底面２１２ｂは、支持台３４の他方の側部３４ｂから、切欠き部３４ｄが設けられた一方の側部３４ａに向かう方向に沿って、鉛直方向下方に傾斜している。したがって、支持台３４の切欠き部３４ｄの周辺に水が溜まりやすく、それにより、発熱剤袋３２の開裂された開裂口から、より確実に水が浸入することとなって、水と発熱剤との反応が促進され、より効率よくスチームを発生させることができる。さらに、容器２の底面２１２ｂには、上述したように、支持台３４の切欠き部３４ｄに隣接して水平面部Ｓが形成されており、切欠き部３４ｄの周辺に水がより溜まりやすくなっており、それにより発熱剤袋３２内への水の浸入をより確実なものとしている。なお、容器２の底面２１２ｂは、切欠き部３４ｄ側に向かって水が流れるように傾斜していれば、上述した例に限定されることはなく、切欠き部３４ｄの位置に応じて適宜傾斜を設けることができる。
【００４１】
開裂用長尺部材３３としては、長尺状の紐やテープが用いられる。ただし、開裂用長尺部材３３としては、引き操作することで水袋３１および発熱剤袋３２を開裂できるような強度と長さを有していれば、特に限定されることはなく、金属製のワイヤや樹脂製の糸を用いてもよい。
【００４２】
以下、図７（ａ）〜図１１（ｂ）を参照して、本実施形態の肌ケア装置１の動作の例を説明する。ただし、本発明の肌ケア装置は、以下の例に限定されものではない。
【００４３】
図７（ａ）および図７（ｂ）は、本実施形態の肌ケア装置１の使用前の状態を示している。開裂用長尺部材３３は、容器２の外部から容器２の切り込み２１３ｅ（図３を参照）を介して容器２の内部に入り、発熱剤袋３２の後方側の端部３２１ａまで延びて切り込み３２１ｂに係合され、折り返されて支持台３４の前方側の端部３４ｃまで延びて係合部３４ｅに係合している。この状態から、開裂用長尺部材３３の他方の端部３３ｂを前方Ｆに引っ張ると、図８（ａ）および図８（ｂ）に示されるように、開裂用長尺部材３３が容器２の外部に続けて引き出され、発熱剤袋３２の後方側の端部３２１ａの切り込み３２１ｂを起点として、発熱剤袋３２が開裂される。発熱剤袋３２が開裂されることにより、発熱剤袋３２に封入された発熱剤３２２が発熱剤袋３２の外部環境にさらされる。
【００４４】
発熱剤袋３２の開裂が終了したあと、容器２の内部に残った開裂用長尺部材３３は、図９（ａ）および図９（ｂ）に示されるように、支持台３４の前方側の端部３４ｃの係合部３４ｅから、水袋３１の後方側の端部３１１ａまで延びて切り込み３１１ｃに係合され、折り返されて支持台３４の前方側の端部３４ｃまで延びて係合部３４ｅに係合している（図中では、すでに係合が外れている）。この状態から、開裂用長尺部材３３の他方の端部３３ｂをさらに前方Ｆに引っ張ると、図１０（ａ）および図１０（ｂ）に示されるように、支持台３４の前方側の端部３４ｃの係合部３４ｅから開裂用長尺部材３３が外れて、開裂用長尺部材３３が容器２の外部に続けて引き出され、水袋３１の後方側の端部３１１ａの切り込み３１１ｃを起点として、水袋３１が開裂される。水袋３１が開裂されることにより、水袋３１に封入されていた水３１２が水袋３１から溢れ出し、支持台３４の切欠き部３４ｄを通って支持台３４の下方に落下する。このとき、一部の水は、支持台３４に沿って、すでに開裂されている発熱剤袋３２内に直接侵入し、残りの水は、容器２の底部２１２に落下する（図中の矢印を参照）。容器２の底部２１２の底面２１２ｂは、支持台３４の切欠き部３４ｄが設けられている側部３４ａに向かって鉛直方向下向きに傾斜しているので、落下した水は、支持台３４の切欠き部３４ｄの周辺に多く溜まる。容器２の底部２１２に溜まった水は、すでに開裂されている発熱剤袋３２に侵入する。このように容器２の底面２１２ｂが傾斜していることにより、支持台３４の切欠き部３４ｄの周辺に水が多く溜まり、支持台３４の切欠き部３４ｄに隣接して開裂された発熱剤袋３２の開裂口から、より確実に発熱剤袋３２内に水が侵入する。発熱剤袋３２内に侵入した水が発熱剤３２２と接触して反応することで、発熱剤３２２が発熱して、スチームが発生する。発生したスチームは、発熱剤袋３２の開裂口から出て、支持台３４の切欠き部３４ｄを通って上昇し、容器２の開口部２２２ｃ（図３を参照）を通じて容器２の外部に放出され、顔などの肌に当てられ、肌のケアを行なうことができる。
【００４５】
水袋３１の開裂が終了したあと、容器２の内部に残った開裂用長尺部材３３は、図１１（ａ）および図１１（ｂ）に示されるように、その一方の端部３３ａにおいて、支持台３４の前方側の端部３４ｃの係合部３４ｅに係合されている。この状態から、開裂用長尺部材３３の他方の端部３３ｂをさらに前方Ｆに引っ張ると、係合部３４ｅから開裂用長尺部材３３が外れて、開裂用長尺部材３３がすべて容器２の外部に引き出される。これにより、使用者は、水袋３１および発熱剤袋３２の開裂が完了したことを知ることができる。水袋３１および発熱剤袋３２の開裂が完了したあとも、支持台３４の切欠き部３４ｄの周辺に水が多く溜まり、発熱剤袋３２の開裂口から発熱剤袋３２内に水が侵入する。そして、水と発熱剤の反応が引き続き行なわれるので、スチームが継続して発生する。発生したスチームは、上述したように、発熱剤袋３２の開裂口から出て、支持台３４の切欠き部３４ｄを通って上昇し、容器２の開口部２２２ｃ（図３を参照）を通じて容器２の外部に放出され、顔などの肌に当てられ、肌のケアを行なうことができる。
【００４６】
以下、実施例をもとに本発明の肌ケア装置の優れた効果を説明する。ただし、本発明の肌ケア装置は、以下の実施例に限定されるものではない。
【００４７】
＜実施例１＞
（１）試験手順
試験対象者１３名について、以下の手順で試験を行なった。
（ａ）メイクを落とし、指定の洗顔料で洗顔した後、環境室（温度２１±１℃、湿度５０±５％の一定）で１５分以上馴化した。
（ｂ）肌ケア装置により発生したスチームを、５分間、両頬の肌に当てた。
（ｃ）スチームを当てた後の肌表面を軽く拭き取り、両頬の肌の角質水分量を測定した。
（２）肌ケア装置
上で説明した肌ケア装置を用意し、水袋（アルミ蒸着樹脂製フィルム）に８０ｃｃの水を封入し、発熱剤袋（アルミラミネートフィルム）に２５ｇの発熱剤（アルミニウム含有生石灰粉末をＰＰ／レーヨン製の不織布に封入したもの）を封入した。
（３）肌の角質水分量の測定
コルネオメーター（Ｃｏｒｎｅｏｍｅｔｅｒ  ＣＭ８２５、インテグラル社製）を用いて、両頬の肌を５回ずつ測定して、測定された値の５回の平均値を角質水分量とした。
【００４８】
＜実施例２＞
実施例１の肌ケア装置の水に、ラベンダー芳香蒸留水を０．５ｃｃ添加した。また、試験対象者を１２名とした。他の条件は、実施例１と同じとした。
【００４９】
＜比較例１＞
（１）試験手順
実施例１の試験対象者１３名について、実施例１とは異なる日に、以下の手順で試験を行なった。
（ａ）メイクを落とし、指定の洗顔料で洗顔した後、環境室（温度２１±１℃、湿度５０±５％の一定）で１５分以上馴化した。
（ｂ）両頬の肌の角質水分量を測定した。
（２）肌ケア装置
使用しなかった。
（３）肌の角質水分量の測定
コルネオメーター（Ｃｏｒｎｅｏｍｅｔｅｒ  ＣＭ８２５、インテグラル社製）を用いて、両頬の肌を５回ずつ測定して、測定された値の５回の平均値を角質水分量とした。
【００５０】
＜比較例２＞
実施例２の試験対象者１２名について、実施例２とは異なる日に、以下の手順で試験を行なった。
（ａ）メイクを落とし、指定の洗顔料で洗顔した後、環境室（温度２１±１℃、湿度５０±５％の一定）で１５分以上馴化した。
（ｂ）両頬の肌の角質水分量を測定した。
（２）肌ケア装置
使用しなかった。
（３）肌の角質水分量の測定
コルネオメーター（Ｃｏｒｎｅｏｍｅｔｅｒ  ＣＭ８２５、インテグラル社製）を用いて、両頬の肌を５回ずつ測定して、測定された値の５回の平均値を角質水分量とした。
【００５１】
実施例１および比較例１の結果を表１に、実施例２および比較例２の結果を表２に示す。また、実施例１、実施例２、比較例１および比較例２それぞれの全試験対象者の平均を比較したグラフを図１２に示す。表１、表２および図１２の全試験対象者の平均から、肌ケア装置を用いて顔の肌のケアを行なうことで、肌ケア装置に水のみを用いた場合（実施例１）、および肌ケア装置にラベンダー芳香蒸留水を添加した水を用いた場合（実施例２）ともに、肌ケア装置を用いない場合（比較例１、比較例２）と比べて、角質水分量が増加していることが分かる。特に、肌ケア装置の水にラベンダー芳香蒸留水を添加することにより（実施例２）、ラベンダー芳香蒸留水を添加しない場合（実施例１）と比べて、角質水分量がさらに増加していることが分かる。以上の結果から、肌ケア装置は、優れた保湿効果を発揮し、水にラベンダー芳香蒸留水を添加することにより、さらに優れた保湿効果を発揮することが分かる。
【００５２】
【表１】
2018064884.tif 000003
【００５３】
【表２】
2018064884.tif 000004
【符号の説明】
【００５４】
１  肌ケア装置
２  容器
２１  容器本体
２１１  開口
２１２  底部
２１２ａ  載置台
２１２ｂ  底面
２１３  壁部
２１３ａ  第１壁部
２１３ｂ  第２壁部
２１３ｃ  第３壁部
２１３ｄ  第４壁部
２１３ｅ  切り込み
２２  蓋体
２２１  フランジ部
２２１ａ  溝部
２２２  隆起部
２２２ａ  内部空間
２２２ｂ  側面
２２２ｃ  開口部
３  スチーム発生装置
３１  水袋
３１１  水袋用袋体
３１１ａ、３１１ｂ  端部
３１１ｃ  切り込み
３１２  水
３２  発熱剤袋
３２１  発熱剤袋用袋体
３２１ａ  端部
３２１ｂ  切り込み
３２２  発熱剤
３３  開裂用長尺部材
３３ａ、３３ｂ  端部
３４  支持台
３４ａ、３４ｂ  側部
３４ｃ  端部
３４ｄ  切欠き部
３４ｅ  係合部
Ｃ  外側容器
Ｃ１  外側容器本体部
Ｃ１１  開口
Ｃ２  外側容器蓋部
Ｃ２１  第１蓋部
Ｃ２１１  開口部
Ｃ２２  第２蓋部
Ｃ２２１  挿通孔
Ｆ  前方
Ｉ  断熱材
Ｉ１  上側断熱材
Ｉ２  下側断熱材
Ｌ  積層体
Ｐ  水平面
Ｒ  後方
Ｓ  水平面部
【図１】
2018064884.tif 000005
【図２】
2018064884.tif 000006
【図３】
2018064884.tif 000007
【図４】
2018064884.tif 000008
【図５】
2018064884.tif 000009
【図６】
2018064884.tif 000010
【図７】
2018064884.tif 000011
【図８】
2018064884.tif 000012
【図９】
2018064884.tif 000013
【図１０】
2018064884.tif 000014
【図１１】
2018064884.tif 000015
【図１２】
2018064884.tif 000016